(57)【要約】【課題】軸方向の張力を受ける雄ねじ部材を連結用板材に確実に連結することができ、その連結位置を容易に調整でき、かつ張力に直交する横方向荷重が繰返し作用しても雄ねじ部材の疲労破壊を確実に防止することができる雄ねじ部材の固定構造を提供する。【解決手段】軸方向の張力Ｆｔとこれに直交する横方向荷重Ｆｒが作用する雄ねじ部材１０と、雄ねじ部材を通す貫通穴１２ａを有する平板状の連結用板材１２と、貫通穴１２ａを通した雄ねじ部材１０と螺合する固定用ナット１４と、連結用板材と固定用ナットの間に挟持され横方向荷重Ｆｒの方向に揺動可能な揺動座金１６とを備える。【選択図】図１
2010127333.tif 000002
【特許請求の範囲】
【請求項１】
軸方向の張力とこれに直交する横方向荷重が作用する雄ねじ部材と、
該雄ねじ部材を通す貫通穴を有する平板状の連結用板材と、
前記貫通穴を通した雄ねじ部材と螺合する固定用ナットと、
連結用板材と固定用ナットの間に挟持され、前記横方向荷重の方向に揺動可能な揺動座金と、を備えた、ことを特徴とする雄ねじ部材の固定構造。
【請求項２】
前記揺動座金は、前記雄ねじ部材を通す内径と、前記貫通穴よりも大きい角形平板部と、該角形平板部の連結用板材側に一体的に突出し前記横方向荷重に直交する方向に延びる線状凸部とを有する、ことを特徴とする請求項１に記載の雄ねじ部材の固定構造。
【発明の詳細な説明】
【技術分野】
【０００１】
本発明は、軸方向の張力とこれに直交する横方向荷重が作用する雄ねじ部材の固定構造に関する。
【背景技術】
【０００２】
図２はエレベータパーキングの全体概略図である。この図において、３１はケージ、３２はワイヤーロープ、３３はドラム、３４はロープシーブ、３５はカウンターウエイトであり、モータ３６と減速機３７によりドラム３３を回転させ、これに巻き付けられたワイヤーロープ３２を介してケージ３１を昇降させ、これと同期してワイヤーロープ３２を介して昇降するカウンターウエイト３５により、ドラム３３の回転負荷を軽減するようになっている。なおこの図において３８は車両を載せるパレットである。
【０００３】
この図において、例えばワイヤーロープ３２をカウンターウエイト３５に固定する箇所には、ワイヤーロープ３２に連結された位置調整ボルト３９が用いられる。この位置調整ボルト３９には、ワイヤーロープ３２の張力とワイヤーロープ３２の位置変動により横方向荷重が作用する。
【０００４】
張力と横方向荷重が作用する雄ねじ部材の固定構造は、例えば特許文献１に開示されている。
【０００５】
図３は、特許文献１のエレベーターの概略図であり、図４は図３の要部の拡大斜視図、図５は吊りロッドの拡大斜視図である。
【０００６】
図５に示すように、吊りロッド４０の上端側には、ナット４２が二段になって備わる。この二段のナット４２で吊りロッド４０はロッド吊り部材４１に吊り下げ支持される。ナット４２を二段に備えたのは、緩み止めのためである。またナット４２が緩んで脱落しないよう割ピン４３を備えて二重の安全を施している。
【０００７】
図４に示すように、吊りロッド４０の下側には、上側と同じ要領で二段のナットを備え、吊りロッド４０に主索固定台５３を吊るようにしている。またレールクリップ（図示せず）等を用いて主索固定台５３をガイドレール５２に固定するようにしている。支持腕５４には３本の主索５１が主索吊りロッド４４によって吊られる。主索吊りロッド４４はスプリングバネ等で形成された緩衝部材４５を介し支持腕４に支持される。主索吊りロッド４４の上端側に止めナット４６を備えて主索吊りロッド４４が支持腕５４から抜けないようにしている。主索吊りロッド４４と主索５１は留金具４７で確実に結合されている。
【０００８】
【特許文献１】特開２００１−１３９２６０号公報、「エレベーター」
【発明の開示】
【発明が解決しようとする課題】
【０００９】
上述した位置調整ボルト３９や吊りロッド４０（以下単に、「雄ねじ部材６０」と呼ぶ）は、図６に示すように、カウンターウエイトやロッド吊り部材に設けられた連結用板材６２と連結するため、その周囲に雄ねじ部を有し、これと螺合するナット６４ａ，６４ｂ，６４ｃで連結用板材６２を挟み締め付けるようになっていた。
【００１０】
しかし、雄ねじ部材６０には、これに連結されたワイヤーロープ、チェーン等（以下「ワイヤー等６１」と呼ぶ）の張力Ｆｔが作用すると同時に、これに直交する横方向荷重Ｆｒが繰返し作用する。
【００１１】
従来の構造では、横方向荷重Ｆｒにより曲げモーメントが、雄ねじ部材と連結用板材の連結部に作用するため、雄ねじ部材の特定の位置に曲げ応力が繰返し作用し、この部分が疲労破壊により折損するおそれがあった。
【００１２】
すなわち、雄ねじ部材の雄ねじ部は、従来の構造では、雄ねじ部材に自由度がない状態のため、曲げ応力を雄ねじ部材の曲げ剛性で受けてしまい、雄ねじ部材の表面に曲げ応力が発生する。また、雄ねじ部の切り欠き係数が大きいため、小さな曲げ荷重で疲労亀裂が発生し折損にいたる可能性があった。
【００１３】
本発明は、上述した問題点を解決するために創案されたものである。すなわち、本発明の目的は、軸方向の張力を受ける雄ねじ部材を連結用板材に確実に連結することができ、その連結位置を容易に調整でき、かつ張力に直交する横方向荷重が繰返し作用しても雄ねじ部材の疲労破壊を確実に防止することができる雄ねじ部材の固定構造を提供することにある。
【課題を解決するための手段】
【００１４】
本発明によれば、軸方向の張力とこれに直交する横方向荷重が作用する雄ねじ部材と、
該雄ねじ部材を通す貫通穴を有する平板状の連結用板材と、
前記貫通穴を通した雄ねじ部材と螺合する固定用ナットと、
連結用板材と固定用ナットの間に挟持され、前記横方向荷重の方向に揺動可能な揺動座金と、を備えた、ことを特徴とする雄ねじ部材の固定構造が提供される。
【００１５】
本発明の好ましい実施形態によれば、前記揺動座金は、前記雄ねじ部材を通す内径と、前記貫通穴よりも大きい角形平板部と、該角形平板部の連結用板材側に一体的に突出し前記横方向荷重に直交する方向に延びる線状凸部とを有する。
【発明の効果】
【００１６】
上記本発明の構成によれば、連結用板材の貫通穴に雄ねじ部材を通し、貫通穴を通した雄ねじ部材に固定用ナットを螺合することにより、軸方向の張力を受ける雄ねじ部材を連結用板材に確実に連結することができ、かつその連結位置を容易に調整できる。
【００１７】
また、連結用板材と固定用ナットの間に張力に直交する横方向荷重の方向に揺動可能な揺動座金が挟持されているので、雄ねじ部材に横方向荷重が繰返し作用しても、揺動座金が揺動することにより雄ねじ部材に生じる曲げ応力を大幅に低減又は皆無にでき、その疲労破壊を確実に防止することができる。
【００１８】
また、前記揺動座金が、角形平板部とその連結用板材側に一体的に突出し前記横方向荷重に直交する方向に延びる線状凸部とを有する構成により、雄ねじ部材に横方向荷重が繰返し作用しても、線状凸部の頂部で揺動座金が揺動することにより雄ねじ部材に生じる曲げ応力を実質的に皆無にでき、その疲労破壊を確実に防止することができる。
【発明を実施するための最良の形態】
【００１９】
以下、本発明の好ましい実施形態を添付図面に基づいて詳細に説明する。なお、各図において共通する部分には同一の符号を付し、重複した説明を省略する。
【００２０】
図１は、本発明による雄ねじ部材の固定構造の実施形態図であり、（Ａ）は側面図、（Ｂ）は（Ａ）のＢ−Ｂ線における矢視図である。
この図に示すように本発明の雄ねじ部材の固定構造は、雄ねじ部材１０、連結用板材１２、固定用ナット１４、及び揺動座金１６を備える。
【００２１】
雄ねじ部材１０は、この例では全長にわたり外周に雄ねじ部１０ａを有する中実の丸棒である。またこの例で、雄ねじ部材１０の上端は、留金具９を介してワイヤーロープ１に連結されている。なお留金具９は不可欠ではなくこれを省略してもよい。
この構成により、雄ねじ部材１０には、ワイヤーロープ１からの軸方向の張力Ｆｔが作用すると共に、ワイヤーロープ１の吊点の変動等に起因する張力Ｆｔに直交する横方向荷重Ｆｒが作用する。
【００２２】
なお、本発明はワイヤーロープ１に限定されず、チェーン等であってもよい。また、雄ねじ部材１０に作用する張力Ｆｔと横方向荷重Ｆｒの向きはこの例に限定されず、逆方向でも、その他の方向であってもよい。
【００２３】
さらに、雄ねじ部材１０の下端部には、直径方向に貫通する貫通穴１０ｂが設けられている。この貫通穴１０ｂに図示しない割りピンを挿入し、割りピンの軸より外側部分を折り曲げておくことにより、固定用ナット１４が振動等で抜けるのを防止することができる。
【００２４】
連結用板材１２は、張力Ｆｔに直交する方向に延びる平板状部材であり、雄ねじ部材１０を通す貫通穴１２ａを有する。連結用板材１２は、カウンターウエイトやロッド吊り部材に一体的に設けられている。貫通穴１２ａの内径は、雄ねじ部材１０を隙間を隔てて通すように、雄ねじ部材１０の外径より例えば１〜２ｍｍ大きく設定されている。
【００２５】
固定用ナット１４は、この例では上側ナット１４ａと下側ナット１４ｂからなるダブルナットであり、貫通穴１２ａを通した連結用板材１２より下側の雄ねじ部材１０と螺合する。固定用ナット１４にはゆるみ止めの強固なハードロックナットを用いる。
この構成により、上側ナット１４ａと下側ナット１４ｂの間に隙間を開けた状態では、それぞれ回転させて雄ねじ部材１０に沿って自由に移動することができる。また、上側ナット１４ａと下側ナット１４ｂを逆方向に回転させて密着させることにより、各ナット（上側ナット１４ａと下側ナット１４ｂ）の雌ねじ部と雄ねじ部材１０の雄ねじ部１０ａとの摩擦力を高めて振動等による緩みを防止することができる。
なお、固定用ナット１４はダブルナットに限定されず、ワイヤーロープ１のより戻りがある場合には、ロックナットと割りピンの組み合わせであるのがよい。
【００２６】
この図において、連結用板材１２の上側にも据付用ナット１５を備えている。この据付用ナット１５は、据付時のセット用であり、実際の使用時には、連結用板材１２から１〜２ｍｍの隙間を隔て、揺動座金１６の揺動を妨げないように設定するのがよい。
【００２７】
揺動座金１６は、連結用板材１２と固定用ナット１４の間（この例では連結用板材１２の下側）に挟持され、横方向荷重Ｆｒの方向に揺動可能に構成されている。
この例において、揺動座金１６は、角形平板部１６ａとこれと一体成形された線状凸部１６ｂとからなる。角形平板部１６ａは、雄ねじ部材１０を通す内径と、貫通穴１２ａよりも大きい外径とを有する。また線状凸部１６ｂは、角形平板部１６ａの連結用板材側（この例で上側）に一体的に突出し、横方向荷重Ｆｒに直交する方向に線状に延びる。
線状凸部１６ｂの頂部断面はこの例では約９０度の角度をなす鋭角であるが、この角度は揺動座金１６の揺動を許す限りで、９０度以上であってもよい。また頂部断面を円弧にしてもよい。
【００２８】
また、ワイヤロープ１のねじり戻りにより、雄ねじ部材１０に軸回りの回転力が発生し、固定ナット１４との摩擦により揺動座金１６に回転力が作用する。揺動座金１６は横方向荷重の方向にのみ揺動可能なため、回転すると曲げ応力が作用しない効果を失う。そのため、揺動座金１６の回転を固定するために、形状を角形（この例では４角形、他の角形でも可能）として、連結用板材１２には揺動座金１６の回り止め部材１７を設けている。
すなわちこの例において、回り止め部材１７は、連結用板材１２の下面に溶接等で固定されている。またこの回り止め部材１７は、角形平板部１６ａの辺の１つに近接して位置し、角形平板部１６ａがその軸心を中心に回転しないようになっている。
特に、回り止め部材１７を、角形平板部１６ａの辺のうち、線状凸部１６ｂのある辺に近接して配置することのより、音が発生しなくなる。
【００２９】
上述した実施形態の構成により、雄ねじ部材１０に横方向荷重Ｆｒが作用しても、揺動座金１６の線状凸部１６ｂの頂部を支点として揺動座金１６が揺動するので、雄ねじ部材１０には曲げ応力が作用せず、雄ねじ部材に生じる曲げ応力を実質的に皆無にでき、その疲労破壊を確実に防止することができる。
【００３０】
なお、本発明は上述した実施形態に限定されない。すなわち本発明の範囲は、特許請求の範囲の記載によって示され、さらに特許請求の範囲の記載と均等の意味および範囲内でのすべての変更を含むものである。
【図面の簡単な説明】
【００３１】
【図１】本発明による雄ねじ部材の固定構造の実施形態図である。
【図２】エレベータパーキングの全体概略図である。
【図３】特許文献１のエレベーターの概略図である。
【図４】図３の要部の拡大斜視図である。
【図５】吊りロッドの拡大斜視図である。
【図６】従来の雄ねじ部材の固定構造図である。
【符号の説明】
【００３２】
１  ワイヤーロープ、９  留金具、
１０  雄ねじ部材、１０ａ  雄ねじ部、１０ｂ  貫通穴、
１２  連結用板材、１４  固定用ナット、
１４ａ  上側ナット、１４ｂ  下側ナット、
１５  据付用ナット、１６  揺動座金、
１６ａ  角形平板部、１６ｂ  線状凸部、
１７  回り止め部材
【図１】
2010127333.tif 000003
【図２】
2010127333.tif 000004
【図３】
2010127333.tif 000005
【図４】
2010127333.tif 000006
【図５】
2010127333.tif 000007
【図６】
2010127333.tif 000008